(57)【要約】  空気調和機の室内機は、上面に吸込み口を有し、下面に吹出し口を有する箱体形状の筐体と、筐体の内部に設けられ、吸込み口から室内空気を吸い込み、吹出し口から空調空気を吹き出す送風機と、筐体の内部に設けられ、冷媒と室内空気とで熱交換することで空調空気を作り出す熱交換器と、吹出し口に回動可能に設けられ、上下の風向を変更する上下風向板、第一上下補助風向板、及び、第二上下補助風向板と、を備え、冷房運転時において、第一上下補助風向板は、筐体の前面側に位置するとともに、下流側端部が筐体の下面よりも下方に位置するものであり、第二上下補助風向板は、第一上下補助風向板よりも下方に位置するとともに、上流側端部が上下風向板よりも上方に位置するものである。
2017134723.tif 000002
【特許請求の範囲】
【請求項１】
上面に吸込み口を有し、下面に吹出し口を有する箱体形状の筐体と、
前記筐体の内部に設けられ、前記吸込み口から室内空気を吸い込み、前記吹出し口から空調空気を吹き出す送風機と、
前記筐体の内部に設けられ、冷媒と室内空気とで熱交換することで空調空気を作り出す熱交換器と、
前記吹出し口に回動可能に設けられ、上下の風向を変更する上下風向板、第一上下補助風向板、及び、第二上下補助風向板と、を備え、
冷房運転時において、
前記第一上下補助風向板は、
前記筐体の前面側に位置するとともに、下流側端部が前記筐体の下面よりも下方に位置するものであり、
前記第二上下補助風向板は、前記第一上下補助風向板よりも下方に位置するとともに、上流側端部が前記上下風向板よりも上方に位置するものである
空気調和機の室内機。
【請求項２】
前記筐体の内部の背面側に、前記送風機の下流側から前記吹出し口に延びるケーシング背壁と、
前記筐体の内部の前面側に、前記送風機の下流側から前記吹出し口に延びるケーシング前壁と、を備え、
前記上下風向板、前記第一上下補助風向板、及び、前記第二上下補助風向板を前記ケーシング背壁と前記ケーシング前壁との間に備え、
冷房運転時において、
前記第一上下補助風向板は、
前記ケーシング前壁の下部から前記筐体の下面よりも下方まで延びるように位置するものである
請求項１に記載の空気調和機の室内機。
【請求項３】
前記第二上下補助風向板は、一端が回動可能に支持された支持部と、該支持部の他端に設けられ、該支持部に対して垂直方向に設けられた誘導部と、で構成されており、
冷房運転時において、
前記第二上下補助風向板は、前記誘導部が前記第一上下補助風向板よりも下方に位置するとともに、前記誘導部の上流側端部が前記上下風向板よりも上方に位置するものである
請求項１または２に記載の空気調和機の室内機。
【請求項４】
冷房運転時において、
前記上下風向板は、下流側端部が前記筐体の下面よりも上方に位置するものである
請求項１〜３のいずれか一項に記載の空気調和機の室内機。
【請求項５】
冷房運転時において、
前記第二上下補助風向板は、前記誘導部の下流側端部が前記第一上下補助風向板よりも正面側に位置するものである
請求項３または４に記載の空気調和機の室内機。  
【請求項６】
冷房運転時において、
前記上下風向板は、上流側端部が前記ケーシング背壁の下流側端部よりも正面側に位置するものであり、
前記上下風向板の上流側端部と前記ケーシング背壁の下流側端部との間には間隔を有している
請求項２〜５のいずれか一項に記載の空気調和機の室内機。
【請求項７】
冷房運転時において、
前記上下風向板は、上流側端部が前記ケーシング背壁の下流側端部よりも上方に位置する、または、前記ケーシング背壁の下流側への延長線上よりも上方に位置するものである
請求項２〜６のいずれか一項に記載の空気調和機の室内機。
【請求項８】
運転停止時において、
前記第一上下補助風向板及び前記第二上下補助風向板は、前記筐体の内部に収納されるものである
請求項１〜７のいずれか一項に記載の空気調和機の室内機。
【請求項９】
前記筐体の前面と下面とで角部が形成されている
請求項１〜８のいずれか一項に記載の空気調和機の室内機。
【発明の詳細な説明】
【技術分野】
【０００１】
本発明は、吹出し口が筐体の下面のみに設けられている空気調和機の室内機に関するものである。
【背景技術】
【０００２】
従来の空気調和機の室内機において、吹出し口を目立たなくすることで美観の向上を図ったものがある（例えば、特許文献１参照）。【０００３】
特許文献１では、吸込み口から吹出し口に至る風路に配置された送風ファンと、送風ファンの周囲に配置された熱交換器と、吹出し口の近傍において回動可能に支持され、長手方向に沿って延びる上下風向板と、を備え、吹出し口が筐体の下面のみに設けられている空気調和機の室内機が開示されている。
【先行技術文献】
【特許文献】
【０００４】
【特許文献１】特開２０１５−６８５６６号公報
【発明の概要】
【発明が解決しようとする課題】
【０００５】
従来の空気調和機の室内機においては、吹出し口が筐体の下面にのみ設けられているため、冷房運転時において、風路の前面側を形成するケーシング前壁によって正面方向への送風が妨げられる。そのため、正面吹きが十分ではなく、使用者の頭部に冷風が当たり、快適性を低下させてしまう。【０００６】
また、冷風の一部はケーシング前壁を沿うように流れ、前面パネルの吹出し口近傍が直接冷却されたり、冷やされたケーシング前壁と接する前面パネルが熱伝導により冷却されたりする。そのため、前面パネルの吹出し口近傍の空気が冷やされて露点温度以下となり、前面パネルの吹出し口近傍で結露が生じてしまう。そして、そのまま冷房運転を継続することで、最終的には前面パネルに付いた露は筐体から落下し、室内機周囲の家具、床、壁等を汚損してしまう。【０００７】
本発明は、以上のような課題を解決するためになされたもので、正面吹きが可能で、かつ、筐体の前面部の結露を抑制することが可能な空気調和機の室内機を提供することを目的としている。
【課題を解決するための手段】
【０００８】
本発明に係る空気調和機の室内機は、上面に吸込み口を有し、下面に吹出し口を有する箱体形状の筐体と、前記筐体の内部に設けられ、前記吸込み口から室内空気を吸い込み、前記吹出し口から空調空気を吹き出す送風機と、前記筐体の内部に設けられ、冷媒と室内空気とで熱交換することで空調空気を作り出す熱交換器と、前記吹出し口に回動可能に設けられ、上下の風向を変更する上下風向板、第一上下補助風向板、及び、第二上下補助風向板と、を備え、冷房運転時において、前記第一上下補助風向板は、前記筐体の前面側に位置するとともに、下流側端部が前記筐体の下面よりも下方に位置するものであり、前記第二上下補助風向板は、前記第一上下補助風向板よりも下方に位置するとともに、上流側端部が前記上下風向板よりも上方に位置するものである。
【発明の効果】
【０００９】
本発明に係る空気調和機の室内機によれば、冷房運転時において、第一上下補助風向板は、筐体の前面側に位置するとともに、下流側端部が筐体の下面よりも下方に位置するものであり、第二上下補助風向板は、第一上下補助風向板よりも下方に位置するとともに、上流側端部が上下風向板よりも上方に位置する。【００１０】
そのため、冷房運転時において、冷風は第一上下補助風向板に沿って流れ、第一上下補助風向板よりも前方部分を冷やさないことによって、筐体の前面が冷やされることが無くなり、筐体の前面部での結露を抑制することができる。また、第一上下補助風向板と上下風向板とによって下向きに誘導された冷風は、第一上下補助風向板よりも下方に位置する第二上下補助風向板により正面方向に変更され正面吹きが可能となる。
【図面の簡単な説明】
【００１１】
【図１】本発明の実施の形態に係る空気調和機の冷媒回路を示した概略図である。
【図２】本発明の実施の形態に係る空気調和機の室内機を正面側から見た斜視図である。
【図３】本発明の実施の形態に係る空気調和機の室内機の運転時を側面側から見た断面概略図である。
【図４】第一上下補助風向板を備えていない場合の本発明の実施の形態に係る空気調和機の室内機の吹出し口近傍を側面側から見た断面概略図である。
【図５】本発明の実施の形態に係る空気調和機の室内機の吹出し口近傍を側面側か見た断面概略図である。
【図６】本発明の実施の形態に係る空気調和機の室内機の運転停止時を側面側から見た断面概略図である。
【図７】第二上下補助風向板を備えていない場合の本発明の実施の形態に係る空気調和機の室内機の運転時を側面側から見た断面概略図である。
【図８】本発明の実施の形態に係る空気調和機の室内機の下吹き運転時を側面側から見た断面概略図である。
【発明を実施するための形態】
【００１２】
以下、本発明の実施の形態を図面に基づいて説明する。なお、以下に説明する実施の形態によって本発明が限定されるものではない。また、以下の図面では各構成部材の大きさの関係が実際のものとは異なる場合がある。
【００１３】
実施の形態．
＜空気調和機の構成＞
図１は、本発明の実施の形態に係る空気調和機１の冷媒回路１３を示した概略図である。
図１に示すように、空気調和機１は、室内機２と、室外機３とを備えている。室内機２は、室内熱交換器４と、室内送風機５とを備えている。室外機３は、室外熱交換器６と、室外送風機７と、圧縮機８と、四方切換弁９と、膨張弁１０とを備えている。室内機２と室外機３とは、ガス側連絡配管１１及び液側連絡配管１２により互いに接続されており、これにより冷媒回路１３が構成されている。
なお、室内送風機５は、本発明の「送風機」に相当する。
【００１４】
冷媒回路１３は、圧縮機８、四方切換弁９、室外熱交換器６、膨張弁１０、及び、室内熱交換器４が順次配管で接続され、冷媒が循環する。
この空気調和機１では、四方切換弁９の経路を切り換えることにより、冷房運転と暖房運転とを切り換えることができる。図１において実線で示される四方切換弁９の経路の場合、空気調和機１は冷房運転を行う。一方、図１において破線で示される四方切換弁９の経路の場合、空気調和機１は暖房運転を行う。
【００１５】
＜室内機の構成＞
図２は、本発明の実施の形態に係る空気調和機１の室内機２を正面側から見た斜視図であり、図３は、本発明の実施の形態に係る空気調和機１の室内機２の運転時を側面側から見た断面概略図である。
図２において、室内機２の壁面Ｋ側にある面を背面とし、背面の対面を前面とし、天井Ｔ側にある面を天面とし、天面の対面を下面とし、図２の右側の側面を右側面とし、右側面の対面を左側面として以下の説明をする。また、室内機２の内部部品についても同様の説明をする。また、風向においては、天面側を上方向、下面側を下方向、前面側を正面方向、背面側を後ろ方向、左側面側を左方向、右側面側を右方向として説明する。
【００１６】
室内機２は、図２に示すように、横長の直方体形状に形成された筐体２０を有する。ただし、筐体２０は、横長の直方体形状に限定されず、図３に示すように天面及び前面の吸込み口２１のような室内空気を吸い込むための開口部と、下面の吹出し口２２のような空調空気を吹き出すための開口部とが一箇所以上設けられている箱体形状であれば、いかなる形状でもよい。
【００１７】
図２に示すように、室内機２を横長の直方体形状とした場合、筐体２０の前面と下面、つまり、前面パネル２３と下面パネル２６とで角部が形成されている。また、吹出し口２２を筐体２０の下面のみに設けた場合、運転停止時の室内機２を正面から見た時に、吹出し口２２が見えないようになっている。そのため、意匠性を向上させることができる。
【００１８】
筐体２０は、前面が前面パネル２３で、左右側面が側面パネル２４で、背面が背面パネル２５で、下面が背面パネル２５、下面パネル２６、及び、上下風向板２８で、天面が天面パネル２７で、それぞれ覆われている。また、前面パネル２３は、筐体２０の長手方向、つまり水平方向または左右方向に沿って凹んだ開口部を備え、天面パネル２７は格子状の開口部を備え、これらが吸込み口２１となる。なお、本実施の形態では、吸込み口２１を天面パネル２７に加え前面パネル２３にも備えているが、少なくとも天面パネル２７に備えていればよい。
【００１９】
また、図３に示すように、筐体２０の内部の背面側には、風路４１の背面側を形成するケーシング背壁３９が、筐体２０の内部の前面側には、風路４１の前面側を形成するケーシング前壁４０が、それぞれ設けられている。そして、ケーシング背壁３９及びケーシング前壁４０で、室内送風機５の下流側の風路４１を形成している。具体的には、ケーシング背壁３９及びケーシング前壁４０は、室内送風機５の下流側から吹出し口２２に延びており、室内送風機５からの空気が吹出し口２２に誘導されるように形成されている。
【００２０】
吹出し口２２の近傍には、水平または左右の風向を変更する左右風向板３６が設けられており、さらに、鉛直または上下の風向を変更する上下風向板２８、第一上下補助風向板３１、及び、第二上下補助風向板３３が設けられている。筐体２０の内部にはモータ（図示せず）の駆動によって空気の流れを生じさせる室内送風機５が収納されており、室内送風機５の周囲には室内熱交換器４が配置されている。室内熱交換器４は、冷媒回路１３を循環する冷媒と室内送風機５によって供給される室内空気との間で熱交換させ、空調空気を作り出す。また、室内熱交換器４の上流側にはフィルター３７が設置され、室内熱交換器４の下にはドレンパン３８が配置され、室内熱交換器４からのドレン水を回収する。
【００２１】
ここで、室内機２内における空気の流れについて簡単に説明する。
吸込み口２１から吸いこまれた室内空気は、フィルター３７によって室内空気に含まれている塵埃が除去される。この室内空気は、室内熱交換器４を通過する際に室内熱交換器４の内部を流れる冷媒と熱交換され、冷房運転であれば、冷やされ、暖房運転であれば、温められて、室内送風機５に至る。室内送風機５の内部、または室内送風機５と背面パネル２５との隙間を通過した空調空気は、風路４１を通過し、吹出し口２２から前方、または下方に向かって吹き出される。
【００２２】
＜上下風向板２８＞
上下風向板２８は、図２及び図３に示すように、筐体２０の下面の一部を構成し、筐体２０の内部の背面側に設けられたケーシング背壁３９の下部の近傍に配置され、上下風向支持部材２９によって上下風向板回転軸３０の回りを回動可能に支持されている。この上下風向板２８は長手方向に沿って延びており、上下方向について吹出し口２２から吹出される空気の風向を変更するとともに、吹出し口２２の開閉を行う。
【００２３】
この上下風向板２８は、駆動モータ（図示せず）が駆動されることによって、上下風向板回転軸３０を中心に上側構造当たり（全閉状態）から下側構造当たり（全開状態）までの範囲を回動できるようになっている。
【００２４】
＜第一上下補助風向板３１＞
第一上下補助風向板３１は、図３に示すように、筐体２０の内部の前面側に設けられたケーシング前壁４０の下部の近傍に配置され、一端が第一上下補助風向板軸３２の回りを回動可能に支持されており、９０度以上回動することができる。この第一上下補助風向板３１は筐体２０の長手方向に沿って延びており、上下方向について吹出し口２２から吹出される空気の風向を変更するとともに、前面パネル２３の結露を抑制する。
【００２５】
冷房運転時において、この第一上下補助風向板３１は、ケーシング前壁４０の下部から筐体２０の下面よりも下方まで延びるように位置している。つまり、空気流に対して上流側となる端部（以下、上流側端部と称する）であり、支点である方の端部は、ケーシング前壁４０の下部に位置しており、空気流に対して下流側となる端部（以下、下流側端部と称する）であり、支点ではない方の端部は、吹出し口２２から筐体２０の下面よりも下方に位置している。
【００２６】
図４は、第一上下補助風向板３１を備えていない場合の本発明の実施の形態に係る空気調和機１の室内機２の吹出し口２２近傍を側面側から見た断面概略図である。
この第一上下補助風向板３１を備えていない場合、冷房運転時において、ケーシング前壁４０に沿って吹き出される冷風は、図４の矢印で示すように流れ、冷風が吹出し口２２近傍の前面パネル２３の下部に接触して、前面パネル２３を冷却する。
【００２７】
また、直接、冷風が前面パネル２３に触れなくても、ケーシング前壁４０の下部である吹出し口２２近傍が冷風によって冷却されると、熱伝導によってケーシング前壁４０に接している前面パネル２３が冷却される。冷風によって直接冷やされたり、熱伝導によって冷やされたりした前面パネル２３の下部である吹出し口２２近傍は、周囲の空気が冷やされて露点温度以下となり、前面パネル２３の吹出し口２２近傍で結露が生じてしまう。そして、冷房運転を続けることで、最終的に前面パネル２３に付いた露は筐体２０から落下し、室内機２周囲の家具、床、壁等を汚損してしまう。
【００２８】
図５は、本発明の実施の形態に係る空気調和機１の室内機２の吹出し口２２近傍を側面側か見た断面概略図である。
一方、第一上下補助風向板３１を備えている場合、冷房運転時において、ケーシング前壁４０に沿って吹き出される冷風は、図５の矢印で示すように、第一上下補助風向板３１によって吹出し口２２近傍の前面パネル２３の下部に接触するのを妨げられる。そして、冷風は第一上下補助風向板３１に沿って下方に傾きながら流れるため、冷風が前面パネル２３に直接接触しない。このとき、第一上下補助風向板３１は、吹出し口２２から出る冷風により上流側の面は冷却されるが、中空構造をとっており、断熱性を有するため、下流側の面で湿った室内空気が接触しても結露が生じない。
【００２９】
また、ケーシング前壁４０の下部である吹出し口２２近傍も、第一上下補助風向板３１によって冷風が直接接触するのを妨げられる。つまり、ケーシング前壁４０の第一上下補助風向板３１よりも前方部分が冷却されることがないため、熱伝導によってケーシング前壁４０に接している前面パネル２３が冷却されることがない。
【００３０】
以上のように、第一上下補助風向板３１を図５に示すように設けることで、前面パネル２３は冷風の影響で冷やされることがなくなるので、前面パネル２３は周囲の空気と同程度の温度になり、前面パネル２３の結露を抑制することができる。
【００３１】
なお、この第一上下補助風向板３１は、第一上下補助風向板軸３２を中心に回動する機構だけに限らず、上下に摺動する機構でもよい。また、第一上下補助風向板３１の先端に、裏面に粘着剤、または、接着剤等を塗布した吸水材を貼ることによって、第一上下補助風向板３１に付着した露を筐体２０から落下させることなく、吸水することができる。
【００３２】
＜第二上下補助風向板３３＞
第二上下補助風向板３３は、図３に示すように、一端が第二上下補助風向板軸３５の回りを回動可能に支持されている支持部３３ａと、支持部３３ａの他端に設けられた誘導部３３ｂと、で構成されている。
【００３３】
支持部３３ａは側面視して一方向に長い形状、つまり、縦長な形状を有している。また、誘導部３３ｂは、側面視して支持部３３ａに対して垂直方向に突出するように設けられており、円弧形状のＲ面を有している。支持部３３ａは筐体２０の長手方向に対して数箇所、例えば２箇所に間隔を空けて設けられている。そのため、隣接する支持部３３ａ間には隙間が形成されている。また、誘導部３３ｂは、筐体２０の長手方向に沿って延びており、上下方向について吹出し口２２から吹出される空気の風向を変更するものである。例えば、誘導部３３ｂが水平方向に傾いている場合は、支持部３３ａの隙間を通過する空気流を水平方向に誘導することができるため、正面吹きが可能となる。
【００３４】
また、第二上下補助風向板３３は、第二上下補助風向板軸３５の回りを９０度以上回動することができる。
なお、誘導部３３ｂは側面視して円弧形状のＲ面に限定されないが、平面よりも円弧形状のＲ面の方が風を誘導しやすくなる。また、誘導部３３ｂは、側面視して支持部３３ａに対して厳密に垂直に設けられていなくてもよい。
【００３５】
冷房運転時において、図３に示すように、誘導部３３ｂは、第一上下補助風向板３１と間隔を空けて下方に位置し、かつ、誘導部３３ｂの下流側端部は第一上下補助風向板３１よりも正面側、つまり筐体２０の前面側に位置するとともに、誘導部３３ｂの上流側端部が、上下風向板２８の下流側端部よりも上方に位置する。
【００３６】
図６は、本発明の実施の形態に係る空気調和機１の室内機２の運転停止時を側面側から見た断面概略図である。
また、第二上下補助風向板３３は、図６に示すように運転停止時は風路４１内に配置されている。
【００３７】
図７は、第二上下補助風向板３３を備えていない場合の本発明の実施の形態に係る空気調和機１の室内機２の運転時を側面側から見た断面概略図である。
図７に示すように、第二上下補助風向板３３を備えていない場合、冷房運転時において、上下風向板２８で正面方向に風向を変更しようとすると、上下風向板２８を水平方向に傾けていく必要がある。しかし、そうすると、図７に示すように吹出し口２２が狭くなり、圧損が増大するため風量が低下してしまう。
【００３８】
また、水平方向に傾けて配置するほど上下風向板２８の裏面（停止時の下面であり意匠面）側に十分な冷風が流れず、表面（停止時の上面であり風路面）側からの冷却により裏面側が露点温度以下となり、結露が生じてしまう。また、ケーシング前壁４０、及び、第一上下補助風向板３１により正面方向への送風が妨げられため、正面吹きが十分ではなく、使用者の頭部に冷風が当たり、快適性を低下させてしまう。
【００３９】
一方、図３に示すように、第二上下補助風向板３３を備えている場合、冷房運転時において、誘導部３３ｂが第一上下補助風向板３１と間隔を空けて下方に位置し、かつ、誘導部３３ｂの下流側端部が第一上下補助風向板３１よりも正面側、つまり筐体２０の前面側に位置することで、ケーシング前壁４０と第一上下補助風向板３１との妨げを受けることなく、ケーシング前壁４０から第一上下補助風向板３１に沿って下向きに流れる冷風を、第二上下補助風向板３３の誘導部３３ｂが正面向きに変更することが可能になる。そのため、第一上下補助風向板３１と第二上下補助風向板３３との間の抜けが減少し、使用者の頭部に冷風が当たらなくなり、使用者の快適性を高めることができる。
【００４０】
さらに、上下風向板２８は、その上流側端部がケーシング背壁３９の下流側端部よりも正面側、つまり筐体２０の前面側に位置し、上下風向板２８の上流側端部とケーシング背壁３９の下流側端部との間には間隔を有する。そして、上下風向板２８は、その上流側端部がケーシング背壁３９の下流側端部よりも上方に位置する、もしくは、上下風向板２８は、その上流側端部がケーシング背壁３９の下流側への延長線上よりも上方に位置することにより、上下風向板２８の裏面側に冷風が送風されやすくなる。そのため、上下風向板２８を水平方向に傾けることが可能になり、上下風向板２８の裏面側を抜ける冷風の角度をより正面向きすることができる。
また、第二上下補助風向板３３の裏面側は、上下風向板２８から誘導された冷風が流れるため、第二上下補助風向板３３で結露が生じない。
【００４１】
図８は、本発明の実施の形態に係る空気調和機１の室内機２の下吹き運転時を側面側から見た断面概略図である。
下吹き時は図８に示すように、水平方向に対して、上下風向板２８は６５〜９０度、第一上下補助風向板３１は８５〜９０度、第二上下補助風向板３３は６５〜９０度下向きに向けることで、ほぼ真下に空気を吹き出すことができ、従来の空気調和機と比較して風向範囲を広げることができる。
【００４２】
また、第一上下補助風向板３１が、第一上下補助風向板軸３２の周りを回動可能に支持されている場合、運転停止時は、図６に示すように第一上下補助風向板３１の支点ではない方の端部が、上下風向板２８よりも上方に位置する。また、第二上下補助風向板３３が第二上下補助風向板軸３５の周りを回動可能に支持されている場合、運転停止時は、誘導部３３ｂが第一上下補助風向板３１よりも後方に位置し、かつ上下風向板２８よりも上方に位置する。また、上下風向板２８、第一上下補助風向板３１、及び、第二上下補助風向板３３が互いに干渉することなく、上下風向板２８により吹出し口２２が蓋をされる構成とすれば、風路４１内が見えなくなり、停止時の意匠性を向上させることができる。
【００４３】
本実施の形態に係る空気調和機１の室内機２は、冷房運転時において、第一上下補助風向板３１は、吹出し口２２の正面側、つまり筐体２０の前面側に位置するとともに、下流側端部が筐体２０の下面よりも下方に位置するものであり、第二上下補助風向板３３は、第一上下補助風向板３１よりも下方に位置するとともに、上流側端部が上下風向板２８よりも上方に位置するものである。また、第一上下補助風向板３１は、ケーシング前壁４０の下部から筐体２０の下面よりも下方まで延びるように位置するものである。また、第二上下補助風向板３３は、誘導部３３ｂが第一上下補助風向板３１よりも下方に位置するとともに、誘導部３３ｂの上流側端部が上下風向板２８よりも上方に位置するものである。
【００４４】
そのため、第一上下補助風向板３１と上下風向板２８とによって下向きに誘導された冷風は、第一上下補助風向板３１よりも下方に位置する第二上下補助風向板３３の誘導部３３ｂにより正面方向に変更され正面吹きが可能となる。また、第二上下補助風向板３３で正面方向に変更するため、上下風向板２８の角度を広げることができ、吹出し口２２が広がり低圧損であるため性能を向上させられる。また、第二上下補助風向板３３の裏は上下風向板２８から誘導された冷風が流れるため、露がつかない。さらに、冷風は第一上下補助風向板３１に沿って流れ、ケーシング前壁４０の第一上下補助風向板３１よりも前方部分を冷やさないことによって、筐体２０の前面が冷やされることが無くなり、筐体２０の前面に露が付かない。
【００４５】
また、冷房運転時において、上下風向板２８は、下流側端部が筐体２０の下面よりも上方に位置することによって、裏面側に冷風が送風されやすくなるため、上下風向板２８の露のつかない角度の範囲が広がり、吹出し口２２をより広くでき、吹出し口２２の低圧損化により性能を向上させられる。
【００４６】
また、冷房運転時において、第二上下補助風向板３３は、誘導部３３ｂの下流側端部が第一上下補助風向板３１よりも正面側、つまり筐体２０の前面側に位置することにより、ケーシング前壁４０から第一上下補助風向板３１に沿って下向きに流れる冷風を第二上下補助風向板３３が正面向きに変更するため、第一上下補助風向板３１と第二上下補助風向板３３との間の抜けが減少し、使用者の頭部に冷風が当たらなくなり、使用者の快適性を高めることができる。
【００４７】
また、冷房運転時において、上下風向板２８は、上流側端部がケーシング背壁３９の下流側端部よりも正面側、つまり筐体２０の前面側に位置するものであり、上下風向板２８の上流側端部とケーシング背壁３９の下流側端部との間には間隔を有しているため、上下風向板２８の裏面側に冷風が送風されやすくなり、上下風向板２８をより水平方向に傾けても、上下風向板２８の裏面側に露が付かなくなる。そのため、上下風向板２８を水平方向に傾けることにより、上下風向板２８の裏面側を抜ける冷風の角度をより正面向きにすることができる。
【００４８】
また、冷房運転時において、上下風向板２８は、上流側端部がケーシング背壁３９の下流側端部よりも上方に位置する、または、ケーシング背壁３９の下流側への延長線上よりも上方に位置することにより、上下風向板２８の裏面側に冷風が送風されやすくなるため、上下風向板２８をより水平方向に傾けても上下風向板２８の裏面側に露が付かなくなる。そのため、上下風向板２８を水平方向に傾けることにより、上下風向板２８の裏面を抜ける冷風の角度をより正面向きにすることができる。
【００４９】
また、運転停止時において、第一上下補助風向板３１及び第二上下補助風向板３３は、筐体２０の内部に収納されるため、運転停止時の意匠性を悪化させないという効果を有する。
【００５０】
また、筐体２０の前面と下面、つまり、前面パネル２３と下面パネル２６とで角部が形成されている。また、吹出し口２２を筐体２０の下面のみに設けた場合、運転停止時の室内機２を正面から見た時に、吹出し口２２が見えないようになっている。そのため、意匠性を向上させることができる。
【符号の説明】
【００５１】
１  空気調和機、２  室内機、３  室外機、４  室内熱交換器、５  室内送風機、６  室外熱交換器、７  室外送風機、８  圧縮機、９  四方切換弁、１０  膨張弁、１１  ガス側連絡配管、１２  液側連絡配管、１３  冷媒回路、２０  筐体、２１  吸込み口、２２  吹出し口、２３  前面パネル、２４  側面パネル、２５  背面パネル、２６  下面パネル、２７  天面パネル、２８  上下風向板、２９  上下風向支持部材、３０  上下風向板回転軸、３１  第一上下補助風向板、３２  第一上下補助風向板軸、３３  第二上下補助風向板、３３ａ  支持部、３３ｂ  誘導部、３５  第二上下補助風向板軸、３６  左右風向板、３７  フィルター、３８  ドレンパン、３９  ケーシング背壁、４０  ケーシング前壁、４１  風路。
【図１】
2017134723.tif 000003
【図２】
2017134723.tif 000004
【図３】
2017134723.tif 000005
【図４】
2017134723.tif 000006
【図５】
2017134723.tif 000007
【図６】
2017134723.tif 000008
【図７】
2017134723.tif 000009
【図８】
2017134723.tif 000010
【手続補正書】
【提出日】平成30年5月10日(2018.5.10)
【手続補正１】
【補正対象書類名】明細書
【補正対象項目名】０００８
【補正方法】変更
【補正の内容】
【０００８】
本発明に係る空気調和機の室内機は、上面に吸込み口を有し、下面に吹出し口を有する箱体形状の筐体と、前記筐体の内部に設けられ、前記吸込み口から室内空気を吸い込み、前記吹出し口から空調空気を吹き出す送風機と、前記筐体の内部に設けられ、冷媒と室内空気とで熱交換することで空調空気を作り出す熱交換器と、前記吹出し口に回動可能に設けられ、上下の風向を変更する上下風向板、第一上下補助風向板、及び、第二上下補助風向板と、を備え、冷房運転時において、前記第一上下補助風向板は、前記筐体の前面側に位置するとともに、下流側端部が前記筐体の下面よりも下方に位置するものであり、前記第二上下補助風向板は、一端が回動可能に支持された支持部と、該支持部の他端に設けられ、側面視で該支持部に対して垂直方向に突出した誘導部と、で構成されており、冷房運転時において、前記第二上下補助風向板は、前記誘導部が前記第一上下補助風向板よりも下方に位置するとともに、前記誘導部の上流側端部が前記上下風向板よりも上方に位置するものである。
【手続補正２】
【補正対象書類名】特許請求の範囲
【補正対象項目名】全文
【補正方法】変更
【補正の内容】
【特許請求の範囲】
【請求項１】
上面に吸込み口を有し、下面に吹出し口を有する箱体形状の筐体と、
前記筐体の内部に設けられ、前記吸込み口から室内空気を吸い込み、前記吹出し口から空調空気を吹き出す送風機と、
前記筐体の内部に設けられ、冷媒と室内空気とで熱交換することで空調空気を作り出す熱交換器と、
前記吹出し口に回動可能に設けられ、上下の風向を変更する上下風向板、第一上下補助風向板、及び、第二上下補助風向板と、を備え、
冷房運転時において、
前記第一上下補助風向板は、
前記筐体の前面側に位置するとともに、下流側端部が前記筐体の下面よりも下方に位置するものであり、
前記第二上下補助風向板は、一端が回動可能に支持された支持部と、該支持部の他端に設けられ、側面視で該支持部に対して垂直方向に突出した誘導部と、で構成されており、
冷房運転時において、
前記第二上下補助風向板は、前記誘導部が前記第一上下補助風向板よりも下方に位置するとともに、前記誘導部の上流側端部が前記上下風向板よりも上方に位置するものである
空気調和機の室内機。
【請求項２】
前記筐体の内部の背面側に、前記送風機の下流側から前記吹出し口に延びるケーシング背壁と、
前記筐体の内部の前面側に、前記送風機の下流側から前記吹出し口に延びるケーシング前壁と、を備え、
前記上下風向板、前記第一上下補助風向板、及び、前記第二上下補助風向板を前記ケーシング背壁と前記ケーシング前壁との間に備え、
冷房運転時において、
前記第一上下補助風向板は、
前記ケーシング前壁の下部から前記筐体の下面よりも下方まで延びるように位置するものである
請求項１に記載の空気調和機の室内機。
【請求項３】
冷房運転時において、
前記第二上下補助風向板は、前記誘導部の下流側端部が前記第一上下補助風向板よりも正面側に位置するものである
請求項１または２に記載の空気調和機の室内機。
【請求項４】
運転停止時において、
前記第一上下補助風向板及び前記第二上下補助風向板は、前記筐体の内部に収納されるものである
請求項１〜３のいずれか一項に記載の空気調和機の室内機。
【請求項５】
前記筐体の前面と下面とで角部が形成されている
請求項１〜４のいずれか一項に記載の空気調和機の室内機。
【請求項６】
運転停止時において、
前記第一上下補助風向板は、前記下流側端部が上下風向板よりも上方に位置するものであり、
前記第二上下補助風向板は、前記誘導部が前記第一上下補助風向板よりも後方に位置するとともに、前記上下風向板よりも上方に位置するものである
請求項１〜５のいずれか一項に記載の空気調和機の室内機。
【国際調査報告】
2017134723.tif 000011
2017134723.tif 000012
2017134723.tif 000013
2017134723.tif 000014